(57)【特許請求の範囲】
【請求項１】
棒状の基体と、この基体の外周面にその長手方向に沿って形成された複数の溝と、基端部が前記溝に挿入され先端部が前記基体の外周面から突出して前記基体に保持されるとともに前記複数の溝それぞれに対応して設けられる可撓性を有する清掃部材と、軸受に回転自在に支持され前記基体の長手方向端部に固定される受部材とを備え、
この受部材は前記複数の溝それぞれに嵌合する複数の突部を有し、これら突部は複数の短突部とこの短突部より前記溝への嵌合長さが長い複数の長突部とからなり、これら長突部と短突部を前記基体の周方向に交互にかつ均等に配置したことを特徴とする回転清掃体。
【請求項２】
棒状の基体と、この基体の外周面にその長手方向に沿って形成された複数の溝と、基端部が前記溝に挿入され先端部が前記基体の外周面から突出して前記基体に保持されるとともに前記複数の溝それぞれに対応して設けられる可撓性を有する清掃部材と、軸受に回転自在に支持され前記基体の長手方向端部に固定される受部材とを備え、
この受部材は前記複数の溝のうち一部の溝に嵌合する複数の突部を有し、これら突部は前記基体の周方向に均等に配置されたことを特徴とする回転清掃体。
【請求項３】
棒状の基体と、この基体の外周面にその長手方向に沿って形成された複数の溝と、基端部が前記溝に挿入され先端部が前記基体の外周面から突出して前記基体に保持されるとともに前記複数の溝それぞれに対応して設けられる可撓性を有する清掃部材と、軸受に回転自在に支持され前記基体の長手方向の一端側に固定される受部材および他端側に固定される受部材とを備え、
これらの受部材は前記溝に嵌合する短突部とこの短突部より前記溝への嵌合長さが長い長突部とをそれぞれ備え、前記一端側の受部材の長突部が一端に嵌合する溝の他端には前記他端側の受部材の短突部が嵌合し、前記一端側の受部材の短突部が一端に嵌合する溝の他端には前記他端側の受部材の長突部が嵌合することを特徴とする回転清掃体。
【請求項４】
本体下面に形成された吸込口に臨んで配置され、軸受に回転自在に支持される回転清掃体を有するものにおいて、
前記回転清掃体は、請求項１ないし３いずれかに記載のものであることを特徴とする電気掃除機の吸込口体。
【発明の詳細な説明】
【０００１】
【産業上の利用分野】
本発明は回転して例えばじゅうたん等のゴミを掻き上げる回転清掃体およびこの回転清掃体を有する電気掃除機の吸込口体に関する。
【０００２】
【従来の技術】
従来のこの種の電気掃除機の吸込口体としては、吸込口本体内にその下面に形成された吸込口に臨んでモータ等の駆動源によって回転駆動される回転清掃体を設けたものが知られている。この回転清掃体を図７、図８に基づいて説明すると、１は合成樹脂にて成形された円柱状の基体で、この基体１の外周にはその長手方向に沿って凹状の溝２、２が形成されている。そして、この溝２、２には弾性材からなるブレード３、３の基端部４が挿入され、この基端部４が溝２の開口縁を形成する抜け止め部５、５に係合することによって基体１の径方向にブレード３、３が脱落することが防止されている。そして、ブレード３、３の先端部は基体１の外周面から突出するようになっている。このブレード３、３は、基体１の長手方向の端部に形成される溝２、２の開放端から挿入されるものである。なお、抜け止め部５がいわゆるアンダーカットとなることから基体１はその長手方向に押し出される押出成形によって成形されている。
【０００３】
基体１の長手方向両端部には、この基体１よりも径大の受部材６（一方のみ図示）が接着固定されている。この受部材６には長手方向の中心側に突設された一対の保持突起７、７が設けられており、円柱状の基体１の外周面をその端部から所定長さ切り欠いて平面状とした凹部８、８に保持突起７、７が嵌合することにより、受部材６と基体１との回り止めがなされて、受部材６と基体１の接着が剥がれた場合においても確実に駆動源からの回転力を回転清掃体に伝達することができる。
【０００４】
そして、この受部材６の外側には受部材６にインサート成形された軸６ａを回転自在に支持する軸受９が設けられている。なお、図示しない基体１の長手方向他端部には受部材６と軸受９との間に駆動源からの回転力を伝達するためのギヤ状プーリが設けられている。上記受部材６は、溝２に挿入されたブレード３が溝２の長手方向端部の開放端から脱落することを防止するため、および軸６ａと基体１との固定強度を高めるために設けられるものである。すなわち、ブレード３の長手方向端部が受部材６に当接することによりブレード３の溝２からの脱落が防止されるとともに、軸６ａを基体１に接着される受部材６にインサート成形しているため、軸６ａを直接基体１に接着により固定した場合よりも固定強度が高められるものである。なお、基体１は上述のように押出成形によって成形されているので直接軸６ａを基体１にインサート成形することはできない。上記構成において、駆動源によって回転清掃体を回転させることにより、ブレード３がじゅうたん等の被掃除面に接触してゴミを掻き上げることができる。
【０００５】
【発明が解決しようとする課題】
しかしながら、上記従来の電気掃除機の吸込口体においては、回転清掃体を構成する基体１と受部材６との回り止めを行うために受部材６の保持突起７に嵌合する凹部８を基体１に設けているので、基体１の構造が複雑なものとなる。特に、前述したように基体１を押出成形によって成形するものにあっては、基体１はその長手方向に押し出されることから、凹部８をこの押出成形によって形成することができず別途加工しなければならないため、回転清掃体ひいては吸込口体の作成が面倒であるとともにコストアップにつながるという問題があった。
【０００６】
本発明は上記問題点を解決し、基体を簡単な構造にすることができるとともに前記基体を押出成形によって成形した場合でも容易に作成することができる回転清掃体を得ること、および、この回転清掃体を有する電気掃除機の吸込口体を得ることを目的とするものである。
【０００７】
【課題を解決するための手段】
上記目的を達成するために請求項１記載の回転清掃体は、棒状の基体と、この基体の外周面にその長手方向に沿って形成された複数の溝と、基端部が前記溝に挿入され先端部が前記基体の外周面から突出して前記基体に保持されるとともに前記複数の溝それぞれに対応して設けられる可撓性を有する清掃部材と、軸受に回転自在に支持され前記基体の長手方向端部に固定される受部材とを備え、この受部材は前記複数の溝それぞれに嵌合する複数の突部を有し、これら突部は複数の短突部とこの短突部より前記溝への嵌合長さが長い複数の長突部とからなり、これら長突部と短突部を前記基体の周方向に交互にかつ均等に配置したものである。
【０００８】
請求項２記載の回転清掃体は、棒状の基体と、この基体の外周面にその長手方向に沿って形成された複数の溝と、基端部が前記溝に挿入され先端部が前記基体の外周面から突出して前記基体に保持されるとともに前記複数の溝それぞれに対応して設けられる可撓性を有する清掃部材と、軸受に回転自在に支持され前記基体の長手方向端部に固定される受部材とを備え、この受部材は前記複数の溝のうち一部の溝に嵌合する複数の突部を有し、これら突部は前記基体の周方向に均等に配置されたものである。
【０００９】
請求項３記載の回転清掃体は、棒状の基体と、この基体の外周面にその長手方向に沿って形成された複数の溝と、基端部が前記溝に挿入され先端部が前記基体の外周面から突出して前記基体に保持されるとともに前記複数の溝それぞれに対応して設けられる可撓性を有する清掃部材と、軸受に回転自在に支持され前記基体の長手方向の一端側に固定される受部材および他端側に固定される受部材とを備え、これらの受部材は前記溝に嵌合する短突部とこの短突部より前記溝への嵌合長さが長い長突部とをそれぞれ備え、前記一端側の受部材の長突部が一端に嵌合する溝の他端には前記他端側の受部材の短突部が嵌合し、前記一端側の受部材の短突部が一端に嵌合する溝の他端には前記他端側の受部材の長突部が嵌合するものである。
【００１０】
請求項４記載の電気掃除機の吸込口体は、本体下面に形成された吸込口に臨んで配置され、軸受に回転自在に支持される回転清掃体を有するものにおいて、前記回転清掃体を請求項１ないし３のいずれかに記載のものとしたものである。
【００１１】
【作用】
請求項１、２、３記載の回転清掃体および請求項４記載の電気掃除機の吸込口体においては、基体の溝に清掃部材を挿入して基体の端部に受部材を取り付けることによって回転清掃体を組み立てることができる。そして、受部材に設けられた突部が清掃部材が挿入される溝に嵌合しているため、基体に受部材が嵌合するための別個の構成を設けることなく受部材と基体との回り止めが可能となる。しかも、一部の清掃部材を基端部から先端部にわたって基体の長手方向端部に位置させることができるとともに、回転清掃体の重量バランスを良好にできる。
【００１２】
【実施例】
本発明の一実施例を図に基づいて説明する。図６において、１１は吸込口本体で、下面に吸込口１２が形成されているとともに後部には上下に回動自在な接続管１３が設けられている。この本体１１の後部には一対の後車輪１４、１４が設けられており、本体１１の前部に設けられた図示しない一対の前車輪とともに本体１１の被掃除面上での走行性を良好にしている。また、本体１１の外周面には弾性部材よりなるバンパ１５が設けられている。
【００１３】
本体１１内には吸込口１２に臨んで回転自在に設けられた回転清掃体１６を収納する図示しない回転清掃体室が形成されている。回転清掃体室は上部に開口が形成されていて、この開口は本体１１に着脱自在に設けられた蓋体１７により開閉されるものである。また、本体１１内には駆動源としての電動機１８が内蔵され、この電動機１８の回転力はベルト１９を介して回転清掃体１６に伝達されるようになっている。
【００１４】
次に回転清掃体１６について、図１〜図５に基づいて詳細に説明する。回転清掃体１６は、合成樹脂よりなり押出成形により成形された円柱状の基体２０と、この基体２０の外周にその長手方向に沿って形成された後述する溝に基端部２１ｂが挿入されて保持されるとともに先端部２１ａを含む基端部２１ｂ以外の略全体が基体１の外周面より突出する弾性材からなる４枚の清掃部材としてのブレード２１と、基体１１の両端にそれぞれ固定される受部材２２、２３とから構成される。この回転清掃体１６にはこれら受部材２２、２３にそれぞれ軸受２４、２４が設けられている。
【００１５】
基体１１の外周には、その長手方向に沿って螺旋状に４つの溝２５が形成されており、これら溝２５は基体１１の長手方向両端まで形成されていて、溝２５の長手方向両端はそれぞれ開放端となっている。これら溝２５は基体１１の径方向外側にいくにしたがってその断面が幅狭となる形状であって、この幅狭部分は抜け止め部２６となっている。また、ブレード２１は従来例を示した図８と同様の断面形状となっており、溝２５に挿入される基端部２１ｂは断面幅広に形成されていて、従来例と同様この基端部２１ｂと抜け止め部２６との係合によって、回転清掃体１６の回転中等に溝２５から基体１１の径方向外側にブレード２１が脱落することを防止しているものである。
【００１６】
基体１１の長手方向一端に設けられる受部材２２の基体１１側には、基体１１に形成された４つの溝２５にそれぞれ嵌合する４つの突部２７が基体１１の周方向に等間隔で突設されている。これら突部２７のうち互いに対向する２つの突部（長突部）２７ａは長く、つまり図１において端面２２ａより突出して形成されるとともに、互いに対向する２つの突部（短突部）２７ｂは短く、つまり端面２２ａと同一面となるように形成されている。受部材２２は、これら突部２７とは反対側に突出するとともにインサート成形された軸３０を有し、この軸３０は受部材２２の外側に設けられた軸受２４により回動自在に支持されている。
【００１７】
基体１１の長手方向他端に設けられる受部材２３の基体１１側にも、基体１１に形成された４つの溝２５にそれぞれ嵌合する４つの突部２８が基体１１の周方向に等間隔で突設されている。なお、その形状は図１に示す受部材２２の基体１１側の形状と同一であるので図１を用いて説明すると、互いに対向する２つの突部（長突部）２８ａは長く形成されるとともに、互いに対向する２つの突部（短突部）２８ｂは短く形成されている。したがって、突部２８ａは溝２５との嵌合長さが長く、突部２８ｂは溝２５との嵌合長さが短い。言い換えれば、２つの突部２８ａと２つの突部２８ｂとは基体１１の周方向に交互にかつ均等に配置されている。なお、突部２７ａと２８ａの長さおよび突部２７ｂと２８ｂの長さはそれぞれ等しくなっている。そして、図２に示すように受部材２３にはベルト１９が巻回されるギヤ状プーリ２９が一体成形され、このギヤ状プーリ２９の外側には受部材２２と同様に軸３０がインサート成形され、受部材２３の外側に設けられる軸受２４で軸３０が回転自在に支持されている。そして、電動機１８の回転力がベルト１９を介して回転清掃体１６に伝達されるようになっている。前述した受部材２２および受部材２３に設けられた軸受２４、２４は、本体１１に形成された図示しない軸受支持部に支持され、これによって回転清掃体１６は本体１１に回転自在に支持されるようになっている。
【００１８】
上記構成の回転清掃体１６を組み立てるには、基体１１の外周面に形成された各溝２５の長手方向一端の開放端から各ブレード２１の基端部を挿入した後、受部材２２、２３に設けられた各突部２７、２８を各溝２５の開放端から嵌合させ、必要に応じて受部材２２、２３と基体１１とを接着等で固定する。したがって、各ブレード２１は、長手方向端部が突部２７、２８に突き当たることにより受部材２２、２３で溝２５の長手方向両端の開放端からの脱落が防止され、かつ、ブレード２１の基端部２１ａと抜け止め部２６とが係合することにより、溝２５から径方向に脱落することが防止される。また、軸３０、３０をインサート成形した受部材２２、２３を基体２０に接着することにより軸３０、３０を基体２０に固定しているので、軸３０、３０を直接基体２０に接着した場合と比較して接着面積を大きくとることができることから、軸３０、３０の基体２０に対する固定強度を高めることができる。
【００１９】
このように組み立てられた回転清掃体１６においては、各ブレード２１の長さを均等とすることができる。すなわち、受部材２２に設けられた長い突部２７ａが一端に嵌合する溝２５の他端には、受部材２３に設けられた短い突部２８ｂが嵌合するようになっている。したがって、その概念を表す図５に示すように、溝２５におけるブレード２１が挿入される部分の長手方向の長さ、換言すれば突部２７ａと突部２８ｂとの長さおよび突部２７ｂと突部２８ａとの長さは４つの溝２５ともＬとなる。さらに、突部２７ａと突部２８ｂが嵌合する溝２５に挿入される２枚のブレード２１と、突部２７ｂと突部２８ａが嵌合する溝２５に挿入される２枚のブレード２１とは図５に示す長さＸだけ長手方向に互いにずれている。
【００２０】
そして、回転清掃体１６は、その両端に設けられた軸受２４、２４を本体１１に形成された軸受支持部にそれぞれ支持して電動機１８を駆動させると、電動機１８の回転力がベルト１９を介して伝達されて回転駆動される。この状態で本体１１をじゅうたん等の被掃除面上で移動させればブレード２１の先端が被掃除面からゴミを掻き上げて掃除を行うことができる。
【００２１】
このとき、受部材２２、２３に設けられた突部２７、２８が溝２５に嵌合しているので、受部材２２、２３は基体２０に対して回り止めされる。このため、受部材２３に形成されたギヤ状プーリ２９に伝達された電動機１８の回転力が確実に基体２１に伝達されるとともに受部材２２、２３と基体２０との間の接着が剥がれた場合でも摩擦による磨耗が生じることがない。しかも、受部材２２、２３と基体２０との回り止めを実現するために、ブレード２１が挿入される溝２５を利用しているので基体２１の構造が簡単になる。そして、基体２０に受部材２２、２３との回り止めを行うための凹部を別途設ける必要がないことから、本実施例のように基体２０を押出成形で成形した場合でも回転清掃体１６の作成が容易であるとともに基体２０を細くして回転清掃体１６ひいては本体１１の小型化を図った場合でも基体２０の強度は確保される。
【００２２】
さらに、溝２５内の長手方向端部において短い突部２７ｂ、２８ｂが占有してブレード２１を配置できない部分を少なくできるので、溝２５に挿入されるブレード２１を基端部から先端部にわたって長手方向端部まで位置させることができる。したがって、ブレードの端面に切り込みを入れて段差を形成することにより先端部のみを溝の端部まで位置させて清掃範囲を確保する場合の問題すなわちブレードが被掃除面に当接して撓む際に上記段差に応力が集中してブレードが破損しやすいという問題を解決しつつ、ブレードによる清掃範囲を確保することができる。しかも、長手方向において４枚のブレード２１のうち２枚は受部材２２側に寄っており、他の２枚は反対側すなわち受部材２３側に寄っていて、基体２１の両端部においてはいずれかのブレード２１が位置しているので、長い突部２７ａ、２８ａと溝２５との嵌合長さを大きくしても、基体２０の長手方向両端部ではいずれかのブレード２１によって被掃除面を掻き上げることができる。したがって、ブレード２１で被掃除面を掻き上げることができる範囲を広く確保しつつ、受部材２２、２３と基体２０との回り止めを行うことができる。また、長い突部２７ａ、２７ａおよび２８ａ、２８ａは互いに対向する位置に設けられ周方向に均等に設けられているので、重量バランスを良好にすることができ、回転清掃体１６の回転を円滑にすることができる。そして、４つの溝２５に挿入される各ブレード２１の長さを均等とすることができるので、回転清掃体１６を組み立てる際に溝２５に対するブレード２１の誤挿入がなく組立性を向上させることができる。
【００２３】
本実施例では基体２０に形成された全ての溝２５に突部２７、２８を嵌合させているが、いくつかの溝２５のみに突部２７、２８を嵌合させるようにしたもの、例えば長い突部２７ａ、２８ａのみを設けてこれらを溝２５に嵌合させるようにしたものでもよく、この場合は突部が嵌合されない溝２５に挿入されるブレード２１を長手方向端部まで配置できる。そして、突部を周方向に均等に配置すればよい。さらに、本発明は基体２０の長手方向両端に設けられた受部材２２、２３のうち一方のみに用いることも可能である。
【００２４】
【発明の効果】
以上説明したように請求項１、２、３記載の回転清掃体および請求項４記載の電気掃除機の吸込口体によれば、基体の外周に形成された清掃部材が挿入される溝を利用して基体と受部材との回り止めを行うことができるので、回転清掃体の構造を簡単にできるとともに基体を押出成形によって形成した場合でも回転清掃体を容易に作成することができる。しかも、受部材の突部を基体の溝に嵌合させても、一部の清掃部材をその基端部から先端部にわたって長手方向端部まで位置させることができ、全体として清掃部材の破損を防ぎつつ清掃部材による清掃範囲が狭くなることを防止できる。さらに、重量バランスを良好にでき、回転清掃体の回転を円滑にすることができる。
【図面の簡単な説明】
【図１】本発明の一実施例を示す回転清掃体における受部材および基体の要部斜視図である。
【図２】同じく本発明の一実施例を示す回転清掃体の斜視図である。
【図３】同じく本発明の一実施例を示す回転清掃体の要部断面図である。
【図４】同じく本発明の一実施例を示し、図３におけるＡ−Ａ’で切断した断面図である。
【図５】同じく本発明の一実施例を示し、基体の両端に長い突部と短い突部を対向させて受部材を固定した状態を示す断面図である。
【図６】同じく本発明の一実施例を示す電気掃除機の吸込口体の上面図である。
【図７】従来例を示す回転清掃体の一部を表した平面図である。
【図８】同じく従来例を示し、図７におけるＢ−Ｂ’で切断した断面図である。
【符号の説明】
１１    本体
１２    吸込口
１６    回転清掃体
２０    基体
２１    清掃部材（ブレード）
２２    受部材
２３    受部材
２５    溝
２７    突部
２８    突部
【図１】
0003618684.tif 000002
【図２】
0003618684.tif 000003
【図３】
0003618684.tif 000004
【図４】
0003618684.tif 000005
【図５】
0003618684.tif 000006
【図６】
0003618684.tif 000007
【図７】
0003618684.tif 000008
【図８】
0003618684.tif 000009